(57)【特許請求の範囲】
【請求項１】
複数の太陽電池と、
前記複数の太陽電池の上に位置する保護膜と、
前記保護膜の上に位置する透明部材と
を含み、
前記透明部材は前記複数の太陽電池と向き合う内部面に形成された第１反射防止部を含み、
前記透明部材の内部面は太陽電池モジュールの発電領域に対応し、向き合う第１領域と、前記太陽電池モジュールの非発電領域に対応し、向き合う第２領域を含み、
前記第１反射防止部は前記透明部材の第２領域に選択的に位置する太陽電池モジュール。
【請求項２】
前記透明部材は強化ガラスから成る、請求項１記載の太陽電池モジュール。
【請求項３】
前記透明部材は凹凸面を備える、請求項１記載の太陽電池モジュール。
【請求項４】
前記保護膜はＥＶＡ、ＰＶＢ、ＥＶＡ、シリコン樹脂、エステル系樹脂及びオレフイン系樹脂中の少なくとも一つで形成されている、請求項１記載の太陽電池モジュール。
【請求項５】
前記第１反射防止部は酸化物系物質と窒化物系物質中の少なくとも一つを含む、請求項１記載の太陽電池モジュール。
【請求項６】
前記酸化物系物質はアルミニウム酸化物、チタン酸化物及びシリコン酸化物中の少なくとも一つであり、前記窒化物系物質はシリコン窒化物を含む、請求項５記載の太陽電池モジュール。
【請求項７】
前記第１反射防止部は前記太陽電池モジュールの端領域の少なくとも一部と重畳する端部を含む、請求項１記載の太陽電池モジュール。
【請求項８】
前記端部は端に位置した太陽電池行と太陽電池列中の少なくとも一つの角領域と追加で重畳する、請求項７記載の太陽電池モジュール。
【請求項９】
前記第１反射防止部は隣接した太陽電池列の間の領域と重畳する複数の縦部、隣接した太陽電池行の間の領域と重畳する複数の横部、または前記複数の縦部と前記複数の横部を含む、請求項１記載の太陽電池モジュール。
【請求項１０】
前記複数の縦部は前記隣接した太陽電池列の角領域に追加で重畳し、前記複数の横部は前記隣接した太陽電池行の角領域に追加で重畳する、請求項９記載の太陽電池モジュール。
【請求項１１】
前記第１反射防止部は格子形状を有する、請求項１記載の太陽電池モジュール。
【請求項１２】
前記複数の太陽電池それぞれは複数の集電部を含み、
前記第１反射防止部は前記複数の集電部と重畳する複数の補助パターン部を含む、請求項１記載の太陽電池モジュール。
【請求項１３】
前記第１反射防止部は前記透明部材の端まで位置する、請求項１記載の太陽電池モジュール。
【請求項１４】
前記複数の太陽電池、前記上部保護膜、前記下部保護膜及び前記透明部材を収納するフレームをさらに含む、請求項１記載の太陽電池モジュール。
【請求項１５】
前記第１反射防止部は前記フレームと前記透明部材の内部面が会う部分まで位置する、請求項１４記載の太陽電池モジュール。
【請求項１６】
前記透明部材は前記内部面の反対側に位置する外部面に第２反射防止部をさらに含む、請求項１記載の太陽電池モジュール。
【請求項１７】
前記第２反射防止部は前記透明部材の全体面に位置する、請求項１６記載の太陽電池モジュール。
【請求項１８】
複数の太陽電池と、
前記複数の太陽電池の上に位置する保護膜と、
前記保護膜の上に位置するガラス板と
を含み、
前記ガラス板は前記複数の太陽電池を保護し、
前記ガラス板は
前記複数の太陽電池と向き合う内部面に形成された第１反射防止部を含み、前記ガラス板の内部面は太陽電池モジュールの発電領域に対応し、向き合う第１領域と、前記太陽電池モジュールの非発電領域に対応し、向き合う第２領域を含み、
前記第１反射防止部は前記ガラス板の第２領域に選択的に位置する太陽電池モジュール。
【請求項１９】
前記第１反射防止部は前記太陽電池モジュールの端領域の少なくとも一部と重畳する端領域、隣接した太陽電池列間の領域と重畳する複数の縦部、そして隣接した太陽電池行の間の領域と重畳する複数の横部の少なくとも一つを含む、請求項１８記載の太陽電池モジュール。
【発明の詳細な説明】
【技術分野】
【０００１】
本発明は太陽電池モジュールに関する。
【背景技術】
【０００２】
最近石油や石炭のような既存エネルギー資源の枯渇が予測されながらこれらを取り替える代替エネルギーに対する関心が高くなり、これによって太陽エネルギーから電気エネルギーを生産する太陽電池が注目されている。
【０００３】
一般的な太陽電池はＰ型とｎ型のように互いに異なる導電型(conductive type)の半導体から各々なる基板(substrate)及びエミッタ層(emitter layer)、そして基板とエミッタ層にそれぞれ接続された電極を備える。この時、基板とエミッタ層の界面にはＰ−ｎ接合が形成される。
【０００４】
このような太陽電池セルに光が入射されると半導体内部の電子が光電効果(photovoltaic effect)によって自由電子(free electron)(以下、「電子」とする)になり、電子と正孔はｐ−ｎ接合の原理によってｎ型半導体とＰ型半導体の方に各々移動する。そして移動した電子と正孔は基板とエミッタ層と電気的に接続された各々の電極によって収集される。
【０００５】
この時、エミッタ層と基板の上にはエミッタ層と基板に配置された各々の電極を接続するブスバー(bus bar)のような少なくとも一つの集電部が形成される。
【０００６】
このような構造を有する太陽電池で生産される電圧及び電流は非常に小さいから所望する出力を得るためにはいくつかの太陽電池を直列または並列で接続した後パネル(panel)形態に防水処理した形態の太陽電池モジュールを製造して使っている。
【発明の概要】
【発明が解決しようとする課題】
【０００７】
本発明の目的とするところは、太陽電池モジュールの生産効率を向上させることにある。
【０００８】
本発明の他の目的とするところは、太陽電池モジュールの製造費用を減少させることにある。
【課題を解決するための手段】
【０００９】
本発明の一特徴に係る太陽電池モジュールは複数の太陽電池、前記複数の太陽電池の上に位置する保護膜、そして前記保護膜の上に位置する透明部材を含み、前記透明部材は外部面と内部面の中の少なくとも一つにパターニングされた第１反射防止部を含み、前記内部面は前記複数の太陽電池と向い合っている面である。
【００１０】
発明の他の特徴に係る太陽電池モジュールは複数の太陽電池、前記複数の太陽電池の上に位置する保護膜、そして前記保護膜の上に位置するガラス板(glass plate)を含み、前記ガラス板は前記複数の太陽電池を保護して、前記ガラス板は外部面と内部面の中の少なくとも一つにパターニングされた第１反射防止部を含み、前記内部面は前記複数の太陽電池と向い合っている面である。
【発明の効果】
【００１１】
本発明の太陽電池モジュールは効率が向上される。
【図面の簡単な説明】
【００１２】
【図１】本発明の一実施の形態に係る太陽電池モジュールの概略的な分解斜視図である。
【図２】本発明の一実施の形態に係る太陽電池の一例の一部斜視図である。
【図３Ａ】本発明の一実施の形態に係る透明部材の内部面に位置した反射防止部の多様なパターンを示した例である。
【図３Ｂ】本発明の一実施の形態に係る透明部材の内部面に位置した反射防止部の多様なパターンを示した例である。
【図３Ｃ】本発明の一実施の形態に係る透明部材の内部面に位置した反射防止部の多様なパターンを示した例である。
【図３Ｄ】本発明の一実施の形態に係る透明部材の内部面に位置した反射防止部の多様なパターンを示した例である。
【図３Ｅ】本発明の一実施の形態に係る透明部材の内部面に位置した反射防止部の多様なパターンを示した例である。
【図３Ｆ】本発明の一実施の形態に係る透明部材の内部面に位置した反射防止部の多様なパターンを示した例である。
【図３Ｇ】本発明の一実施の形態に係る透明部材の内部面に位置した反射防止部の多様なパターンを示した例である。
【図４Ａ】本発明の一実施の形態に係る透明部材の内部面に位置した反射防止部の多様なパターンを示した例である。
【図４Ｂ】本発明の一実施の形態に係る透明部材の内部面に位置した反射防止部の多様なパターンを示した例である。
【図４Ｃ】本発明の一実施の形態に係る透明部材の内部面に位置した反射防止部の多様なパターンを示した例である。
【図４Ｄ】本発明の一実施の形態に係る透明部材の内部面に位置した反射防止部の多様なパターンを示した例である。
【図５Ａ】本発明の一実施の形態に係る透明部材の内部面に位置した反射防止部の多様なパターンを示した例である。
【図５Ｂ】本発明の一実施の形態に係る透明部材の内部面に位置した反射防止部の多様なパターンを示した例である。
【図５Ｃ】本発明の一実施の形態に係る透明部材の内部面に位置した反射防止部の多様なパターンを示した例である。
【図５Ｄ】本発明の一実施の形態に係る透明部材の内部面に位置した反射防止部の多様なパターンを示した例である。
【図６Ａ】本発明の一実施の形態に係る透明部材の内部面に位置した反射防止部の多様なパターンを示した例である。
【図６Ｂ】本発明の一実施の形態に係る透明部材の内部面に位置した反射防止部の多様なパターンを示した例である。
【図７Ａ】本発明の一実施の形態に係る透明部材の内部面に位置した反射防止部の多様なパターンを示した例である。
【図７Ｂ】本発明の一実施の形態に係る透明部材の内部面に位置した反射防止部の多様なパターンを示した例である。
【図８】本発明の一実施の形態に係る透明部材の内部面に位置した反射防止部の多様なパターンを示した例である。
【図９】本発明の一実施の形態に係る透明部材の内部面に位置した反射防止部の多様なパターンを示した例である。
【図１０】本発明の一実施の形態に係る透明部材の内部面に位置した反射防止部の多様なパターンを示した例である。
【発明を実施するための形態】
【００１３】
以下では添付した図面を参照にして本発明の実施の形態について本発明が属する技術分野で通常の知識を有する者が容易に実施するように詳しく説明する。しかし本発明はいろいろ異なる形態に具現されることができ、ここで説明する実施の形態に限定されない。そして図で本発明を明確に説明するために説明と関係ない部分は省略し、明細書全体を通じ類似の部分に対しては同一である図面符号を付けた。
【００１４】
図で多くの層及び領域を明確に表現するために厚さを拡大して示した。層、膜、領域、板などの部分が他の部分「上に」あると言う時、これは他の部分「真上に」ある場合だけではなくその中間に他の部分がある場合も含む。反対にいずれの部分が他の部分「真上に」あると言う時には中間に他の部分がないことを意味する。またいずれの部分が他の部分上に「全体的」に形成されていると言う時には他の部分の全体面(または全面)に形成されていることだけではなく縁の一部には形成されないことを意味する。
【００１５】
それでは添付した図面を参照にして本発明の一実施の形態に係る太陽電池モジュールに対して説明する。
【００１６】
先ず、図１を参照にして本発明の一実施の形態に係る太陽電池モジュールに対して詳しく説明する。
【００１７】
図１は本発明の一実施の形態に係る太陽電池モジュールの概略的な分解斜視図である。
【００１８】
図１を参照にすれば、本実施の形態に係る太陽電池モジュール１０は複数の太陽電池１、複数の太陽電池１を保護する保護膜２０ａ、保護膜２０ｂ、太陽電池１の受光面の方に位置した保護膜(以下、「上部保護膜」という)２０ａ上に位置する透明部材４０、光が入射されない受光面の反対の方に位置した保護膜(以下、「下部保護膜」という) ２０ｂの下部に配置された後面シート(back sheet)５０、そしてこれら構成要素を収納するフレーム６０を備える。
【００１９】
後面シート５０は太陽電池モジュール１０の後面で湿気が侵透することを防止して太陽電池１を外部環境から保護する。このような後面シート５０は水分と酸素浸透を防止する層、化学的腐食を防止する層、絶縁特性を有する層のような多層構造を有することができる。
【００２０】
上部保護膜２０ａ及び下部保護膜２０ｂは湿気浸透による金属の腐食などを防止し太陽電池モジュール１０を衝撃から保護する。このような上部保護２０ａ及び下部保護膜２０ｂは太陽電池１の上部及び下部にそれぞれ配置された状態でラミネーション工程(lamination process) の時に太陽電池１と一体化される。このような保護膜２０ａ、２０ｂはエチレンビニールアセテート(EVA、 ethylene vinyl acetate)、ポリビニルブチラール(polyvinyl butyral) 、エチレン酢酸ビニル部分酸化物、珪素樹脂、エステル系樹脂、オレフイン系樹脂などから成ることができる。上部保護膜２０ａ及び下部保護膜２０ｂ中の少なくとも一つは凹凸面またはテクスチャリング表面を有することができる。
【００２１】
上部保護膜２０ａ上に位置する透明部材４０は透過率が高く破損を防止するために強化ガラスなどから成る。この時、強化ガラスは鉄成分含量が低い低鉄分強化ガラス(low iron tempered glass)でありえる。このような透明部材４０は光の散乱効果を高めるために内側面のような表面がエムボス加工(embossing)処理が行われることができる。透明部材４０の表面はテクスチャリングされることができる。透明部材４０はガラスまたはプラスチック(plastic)と異なる物質に形成されることができる。ガラスに形成される時、透明部材４０はガラス板(glass plate) または強化ガラス板(tempered glass plate)でありえる。
【００２２】
複数の太陽電池１は行列構造に配列されていて、各太陽電池１は複数の連結部７０によって直列で接続されている。図１で、複数の太陽電池１は４×４行列構造を有しているが、ここに限定されないで必要によって行と列方向にそれぞれ配置される太陽電池１の個数は調節可能である。この時、隣接した太陽電池１の間の間隔（ｄ１）は約２mm乃至３mmでありえる。
【００２３】
フレーム６０は一体化された部品（５０、２０ｂ、１、２０ａ、４０）を収納する。フレーム６０は絶縁物質にコーティングされているアルミニウムなどのように外部環境による腐食と変形などが発生しない物質からなり、排水、設置及び施工が容易な構造を有している。
【００２４】
このような太陽電池モジュール１０は太陽電池１をテストする段階と、テストが完了した複数の太陽電池１を複数の連結部７０で電気的に接続する段階と、モジュール化するための部品を順次に、例えば下部から後面シート５０、下部保護膜２０ｂ、太陽電池１、上部保護膜２０ａ及び透明部材４０の手順で配置する段階と、真空状態でラミネーション工程を実施してこれら部品を一体化する段階と、エッジトリミング(edge trimming) 段階及びモジュールテストを実施する段階などの工程手順によって製造される。
【００２５】
次、図２を参照にして本実施の形態に係る太陽電池１の一例を記述する。
【００２６】
図２は本発明の一実施の形態に係る太陽電池の一例の一部斜視図である。
【００２７】
図２に示した太陽電池１は第１不純物部１１０と第２不純物部であるエミッタ層１２０を備えた基板１００、光が入射される基板１００の面（以下、「前面(front surface)」という）のエミッタ層１２０上に位置する反射防止部１３０、エミッタ層１２０上に位置した前面電極部１４０、光が入射されないで前面の反対側に位置する基板１００の面（以下、「後面(rear surface)」という）に位置する後面電極(rear electrode)１５１、そして後面電極１５１下部に位置する後面電界(back surface field、ＢＳＦ)部１７１を備える。
【００２８】
第１不純物部１１０は第１導電型、例えばｐ型導電型のシリコンからなる半導体基板１００に位置して第１導電型の第１不純物を含んでいる。この時、第１不純物部１１０はホウ素（Ｂ）、ガリウム（Ｇａ）、インジウム（Ｉｎ）などのような３価元素の不純物を含むことができる。シリコンは多結晶シリコンのような結晶質シリコンである。しかし、これとは異なり、基板１００はｎ型導電型でありえ、この場合、第１不純物部１１０はりん（Ｐ）、砒素（Ａｓ）、アンチモン（Ｓｂ）などのように５価元素の不純物を含むことができる。
【００２９】
このような基板１００はテクスチャリング(texturing)されて凹凸面であるテクスチャリング表面(textured surface)を有することができる。この場合、テクスチャリング表面によって基板１００に入射される光の量が増加して太陽電池１の効率が向上する。
【００３０】
基板１００に形成されたエミッタ層１２０は基板１００の導電型と反対である第２導電型、例えば、ｎ型の導電型を備えている第２不純物部として、半導体基板１００の第１不純物部１１０とｐ−ｎ接合を成す。実質的に、基板１００からエミッタ層１２０を除いた大部分の領域が第１不純物部１１０になる。
【００３１】
このようなｐ−ｎ接合による内部電位差(built-in potential difference)によって、基板１００に入射された光によって生成された電荷である電子-正孔対は電子と正孔で分離して電子はｎ型の方に移動して正孔はｐ型の方に移動する。したがって、基板１００がｐ型でエミッタ層１２０がｎ型の場合、分離した正孔は第１不純物部１１０方へ移動して分離した電子はエミッタ層１２０方へ移動する。
【００３２】
エミッタ層１２０は第１不純物部１１０とp−ｎ接合を形成するので、本実施の形態と異なり、基板１００がｎ型の導電型を有する場合、エミッタ層１２０はｐ型の導電型を有する。この場合、分離した電子は第１不純物部１１０方へ移動して分離した正孔はエミッタ層１２０方へ移動する。
【００３３】
エミッタ層１２０上に位置した反射防止膜１３０は基板１００方へ入射される光の反射率を減少させて基板１００に吸収される光の量を増加させる。
【００３４】
前面電極部１４０は、図２に示したように、複数の前面電極１４１と複数の前面電極用集電部１４２を備える。
【００３５】
複数の前面電極１４１はエミッタ層１２０と電気的・物理的に接続されていて、ほとんど平行に決まった方向に伸びている。
【００３６】
複数の前面電極１４１はエミッタ層１２０方移動した電荷、例えば電子を収集する。
【００３７】
複数の前面電極用集電部１４２はエミッタ層１２０上に複数の前面電極１４１と交差する方向にほとんど平行に伸びていて、エミッタ層１２０だけでなく複数の第１電極１４１と電気的・物理的に接続されている。
【００３８】
複数の前面電極用集電部１４２は複数の前面電極１４１と同一層に位置して、複数の前面電極用集電部１４２は各前面電極１４１層と交差する地点で該当の前面電極１４１と電気的・物理的に接続されている。
【００３９】
複数の前面電極用集電部１４２は複数の前面電極１４１と接続されているので、複数の前面電極１４１を通じて伝達する電荷を収集して外部装置に出力する。
【００４０】
図２で、基板１００に位置する前面電極用集電部１４２の個数は２個であるがこれに限定されない。各前面電極用集電部１４２の幅は設置個数によって変わる。例えば、前面電極用集電部１４２の個数が２個である場合、各前面電極用集電部１４２の幅（ｄ２）は約２mmであり、前面電極用集電部１４２の個数が３個である場合、各前面電極用集電部１４２の幅（ｄ２）は約１．５mmである。
【００４１】
このような前面電極部１４０は銀（Ａｇ）のような導電性物質を含んでいるが、これとは異なり、ニッケル（Ｎｉ）、銅（Ｃｕ）、アルミニウム（Ａｌ）、スズ（Ｓｎ）、亜鉛（Ｚｎ）、インジウム（Ｉｎ）、チタン（Ｔｉ）、金（Ａｕ）、及びこれらの組合からなる群から選択された少なくとも一つを含むとか、以外の他の導電性金属物質を含むことができる。
【００４２】
エミッタ層１２０と電気的・物理的に接続されている前面電極部１４０によって、反射防止膜１３０は前面電極部１４０が位置しないエミッタ層１２０上に存在する。
【００４３】
基板１００の後面上に位置した後面電極１５１は基板１００の後面ほとんど全体面に位置する。
【００４４】
このような複数の後面電極１５１は第１不純物部１１０方へ移動する電荷、例えば正孔を収集する。
【００４５】
後面電極１５１はアルミニウム（Ａ）のような少なくとも一つの導電性物質を含んでいるが、代案的な実施の形態で、ニッケル（Ｎｉ）、銅（Ｃｕ）、銀（Ａｇ）、スズ（Ｓｎ）、亜鉛（Ｚｎ）、インジウム（Ｉｎ）、チタン（Ｔｉ）、金（Ａｕ）及びこれらの組合からなる群から選択された少なくとも一つを含むとか、以外の他の導電性金属物質を含むことができる。
【００４６】
後面電極１５１と基板１００の第１不純物部１１０の間に位置した後面電界部１７１は第１不純物部１１０と同一である導電型の不純物が第１不純物部１１０より高濃度にドーピングされた領域、例えば、ｐ＋領域である。
【００４７】
第１不純物部１１０と後面電界部１７１との不純物濃度差によって電位障壁が形成されて第１不純物部１１０後面方での電子移動が邪魔になって、第１不純物部１１０の表面近くで電子と正孔が再結合して消滅することを防止するか減少させる。
【００４８】
このような構造以外に太陽電池１は基板１００の後面に位置する複数の後面電極用集電部をさらに備えることができる。
【００４９】
複数の後面電極用集電部は、複数の前面電極用集電部１４２と同様に、後面電極１５１と電気的に接続されて後面電極１５１から伝達する電荷を収集して外部装置に出力する。このような後面電極用集電部は銀（Ａｇ）のような少なくとも一つの導電性物質を含む。
【００５０】
このような構造を有する本実施の形態に係る太陽電池１の動作は次のようである。
【００５１】
太陽電池１で光が照射されてエミッタ層１２０を通じて半導体の基板１００に入射されると光エネルギによって半導体の基板１００から電子-正孔対が発生する。
【００５２】
この時、反射防止膜１３０によって基板１００に入射される光の反射損失が減って基板１００に入射される光の量は増加する。
【００５３】
これら電子-正孔対は基板１００の第１不純物部１１０とエミッタ層１２０のｐ−ｎ接合によって互いに分離して電子はｎ型の導電型を有するエミッタ層１２０方へ移動し、正孔はｐ型の導電型を有する第１不純物部１１０の方に移動する。このように、エミッタ層１２０方移動した電子は主に複数の前面電極１４１によって収集され複数の前面電極用集電部１４２に移動し、第１不純物部１１０の方に移動した正孔は後面電界部１７１を通じて後面電極１５１によって収集される。このような複数の前面電極用集電部１４２と後面電極１５１を導線で連結すると電流が流れるようになり、これを外部で電力に利用するようになる。
【００５４】
一般的に太陽電池１は基板１００に入射される光の量が増加するほど太陽電池１の効率が向上する。
【００５５】
しかし、図２に示したように、基板１００の入射面に複数の電極１４１と複数の集電部１４２が位置するので、これら電極１４１と集電部１４２によって光の入射面積が減少しこれにより基板１００に入射される光の量が減る。
【００５６】
このような光の入射量減少を防止するか減らすため、外部に露出しないで上部保護膜２０ａと向い合っている透明部材４０の面(以下、「内部面」という)の一部に多様な形態で反射防止部４１がパターニングされている。反射防止部４１は透明部材４０の内部面全体にパターニングされる代りに、透明部材４０の内部面一部にパターニングされることができる。
【００５７】
この時、透明部材４０の内部面の反対側に位置し外部に露出している透明部材４０の面(以下、「外部面」という)には図１に示したように反射防止部４２が位置する。この時、反射防止部４２は、図１に示したように、透明部材４０の外部面全体に位置する。しかし、代案的な実施の形態で、反射防止部４２はフレーム６０の中に挿入されないで外部に露出している外部面の一部、すなわち、フレーム６０内部に挿入される透明部材４０の端面を除いた残り外部面にだけ反射防止部４２が位置することができる。しかし、これとは異なり、透明部材４０の外部面には反射防止部が位置しないこともある。
【００５８】
このような反射防止部（４１、４２）はアルミニウム酸化物(aluminum oxide)、チタン酸化物(titanium oxide)、シリコン酸化物(silicon oxide)のような酸化物(oxide) 系列物質かシリコン窒化物(silicon nitride)のような窒化物系列物質である。この時反射防止部（４１、４２）は透明な物質である。反射防止部（４１、４２）は、反射防止膜１３０と同様に、外部から入射される光の反射率を減少させ所望する方向に光を屈折させ、太陽電池モジュール１０方へ入射される光の量を増加させる。この時、反射防止部（４１、４２）の屈折率や厚さなどを利用し所望する波長帯の光を選択的に屈折させる。
【００５９】
太陽電池モジュール１０は基板１００で光が入射されて発展に寄与する発電領域と基板１００に入射される光を遮断するとか太陽電池１が存在しなくて太陽電池１の発展に影響を与えることができない非発電領域で分けられる。非発電領域の一例は、隣接した太陽電池１の間の空間(gap)を含むことができる。
【００６０】
発電領域は太陽電池１の前面(front surface) 中で複数の前面電極１４１と複数の集電部１４２が位置しない部分として光が基板１００にすぐ入射される領域を意味する。一方、非反転領域は太陽電池モジュール１０で太陽電池１が位置しない部分、そして各太陽電池１内で複数の前面電極１４１と複数の前面電極用集電部１４２が位置する部分である。
【００６１】
本実施の形態で、太陽電池１の発電領域と向い合って重畳する透明部材４０の部分を透明部材４０の発電領域とし、非発電領域と向い合って重畳する部分を透明部材４０の非発電領域とする。
【００６２】
本実施の形態で、反射防止部４１は透明部材４０の内部面に位置しまた透明部材４０の非発電領域の中で少なくとも一部に部分的に位置する。
【００６３】
それでは図３Ａないし図１０を参照にして、透明部材４０の内部面に部分的に位置した反射防止部４１の多様な例に対して説明する。
【００６４】
図３Ａないし図１０は本発明の一実施の形態に係り透明部材の内部面に位置した反射防止部の多様なパターンを示した例である。
【００６５】
先ず、図３Ａないし図３Ｇに示した図を参照にすれば、反射防止部４１は透明部材４０の非発電領域の中で太陽電池モジュール１０の端領域に対応する部分(以下、「端部分」という)の少なくとも一部に位置する。
【００６６】
図１及び図３Ａと図３Ｂで、反射防止部４１は透明部材４０の端部分の中で太陽電池モジュール１０の上部端領域と下部端領域にそれぞれ重畳する所に反射防止領域４４３ａを備え、これら反射防止領域４４３ａを端部と称する。
【００６７】
この時、各端部４４３ａの縦幅（ｗ１）は太陽電池モジュール１０の一番目行に位置している太陽電池１の端を連結した仮想線（Ｌ１）から隣接したフレーム６０までの間隔そして太陽電池モジュール１０の最後の行に位置している太陽電池１の端を接続した仮想線（Ｌ２）から隣接したフレーム６０までの間隔と同一である。
【００６８】
このように、透明部材４０の内部面の非発電領域に反射防止部４１が位置するによって、図３Ｂに示したように、透明部材４０の非発電領域に入射される光は反射防止部４１によって屈折され隣接した太陽電池１の発電領域に入射される。これにより、各太陽電池１に入射される光の量が増加して太陽電池１の発電効率が向上する。
【００６９】
図３Ｃで、反射防止部４１は透明部材４０の端部の中で太陽電池モジュール１０の左側端領域と右側端領域にそれぞれ重畳する反射防止領域である端部４４３ｃを備える。
【００７０】
この時、各端部４４３ｃの横幅（ｗ２）は太陽電池モジュール１０の最右側に位置する太陽電池列の端を連結した仮想線Ｌ３から隣接したフレーム６０までの間隔そして太陽電池モジュール１０の最左側に位置する太陽電池列の端を連結した仮想線Ｌ４から隣接したフレーム６０までの間隔と同一である。
【００７１】
また、反射防止部４１は他の例で図３Ｄに示したように透明部材４０の端部全体に位置した反射防止領域である端部４４３ｄを含む。この端部４４３ｄは実質的に太陽電池モジュール１０の端領域全体と重畳する。したがって、反射防止部４４３ｄは一つで接続された四角環形状を有する。
【００７２】
図３Ｄで、反射防止部４１である端部４４３ｄは太陽電池モジュール１０の上部、下部、左側部及び右側部の端領域にそれぞれ一列に配置された太陽電池行の端を連結した複数の仮想線Ｌ１−Ｌ４からそれぞれ隣接したフレーム６０まで形成されている。
【００７３】
しかし、図３Ａ、図３Ｃ及び図３Ｄとは異なり、図３Ｅないし図３Ｇに示したように、他の例で各端部（４４３ｅ−４４３ｇ）は仮想線Ｌ１−Ｌ４を超過して端領域に配置された太陽電池行及び/または太陽電池列と一部重畳されるように透明部材４０に位置する。
【００７４】
本実施の形態で、各太陽電池１は上辺１１、下辺１２、第１側辺１３、第２側辺１４、そして側辺（１３、１４）と上辺１１、下辺１２をおおよそ対角線方向に接続する四つの角辺１５を備える。このような太陽電池１はほとんど八角形形状を有している。
【００７５】
したがって、図３Ｅないし図３Ｆに示したように、反射防止部４１である端部（４４３ｅ−４４３ｇ）は隣接した太陽電池の行または隣接した太陽電池の列の上辺１１、下辺１２、第１側辺１３または第２側辺１４の端から角辺１５の端まで各辺（１１、１２、１３又は１４）に垂直で延長された領域(以下、角領域)まで該当の太陽電池の行や太陽電池の列と重畳する。これにより、太陽反射防止部４１は透明部材４０の発電領域一部まで位置する。
【００７６】
こういう場合、角辺１５の近所に形成された非発電領域にまで反射防止部４１が位置するので、各太陽電池１に入射される光の量はさらに増加する。
【００７７】
図４Ａないし図４Ｄに示した反射防止部４１の他の例はそれぞれ端部４４１ａと端部４４１ａに接続された複数の縦部４４２ａを備える。
【００７８】
端部４４１ａは既に説明したように太陽電池モジュール１０の端領域に対応する透明部材４０の端部分に位置する。
【００７９】
複数の縦部４４２ａは透明部材４０の内部面で隣接した太陽電池列間に沿って縦方向に伸びている。
【００８０】
図４Ａで、反射防止部４１の複数の縦部４４２ａは隣接した太陽電池列の端と端の間の非発電領域と重畳するように位置する。したがって複数の縦部４４２ａは主に透明部材４０の非発電領域に位置する。
【００８１】
図４Ｂで、反射防止部４１の複数の縦部４４２ｂは隣接した太陽電池列の間だけではなく隣接した太陽電池列の角領域まで重畳するように位置し、隣接した太陽電池列と一部重畳する。したがって、図４Ｂに示した複数の縦部４４２ｂは透明部材４０の非発電領域だけではなく一部発電領域にも位置する。
【００８２】
既に図３Ｅないし図３Ｆを参照にして説明したように、もう一つの例で、横部（４４２ｃ、４４２ｄ）を備えた反射防止部４１の端部（４４１ｃ、４４１ｄ）は隣接した太陽電池の行や太陽電池の列の角領域と重畳する部分まで位置する(図４Ｃ及び図４Ｄ)。
【００８３】
図５Ａないし図５Ｄに示した他の反射防止部４１の他の例はそれぞれ端部（４５１ａ−４５１ｄ）と端部（４５１ａ−４５１ｄ）に接続された複数の横部（４５３ａ−４５３ｄ)を備える。
【００８４】
端部（４５１ａ−４５１ｄ）は既に説明したように太陽電池モジュール１０の端領域に対応する透明部材４０の端部に位置する。
【００８５】
複数の横部（４５３ａ−４５３ｄ）は透明部材４０の内部面で隣接した太陽電池の行の間に沿って横方向に伸びている。
【００８６】
図５Ａで、反射防止部４１の複数の横部４５３ａは隣接した太陽電池の行の端と端の間の非発電領域に重畳するように位置し、主に透明部材４０の非発電領域に位置する。
【００８７】
図５Ｂの反射防止部４１の複数の横部４５３ｂは隣接した太陽電池の行の間だけではなく隣接した太陽電池行の角領域まで重畳するように位置し、隣接した太陽電池の行と一部重畳する。したがって、図５Ｂに示した複数の横部４５３ｂは透明部材４０の非発電領域と一部発電領域に位置する。
【００８８】
縦部図４Ｃ及び図４Ｄを参照にして説明したことと同様に、反射防止部４１の端部（４５１ｃ、４５１ｄ）は隣接した太陽電池の行や太陽電池の列の角領域と重畳する部分まで位置し端部（４５１ｃ、４５１ｄ）はあたる角領域と重畳する(図５Ｃ及び図５Ｄ)。
【００８９】
また、図６Ａ及び図６Ｂに示した例で、反射防止部４１はそれぞれ端部（４６１ａ、４６１ｂ）、端部（４６１ａ、４６１ｂ）に接続された複数の縦部（４６２ａ、４６２ｂ）及び端部（４６１ａ、４６１ｂ）に接続された複数の横部（４６３ａ、４６３ｂ）を備える。これにより、反射防止部４１は格子形状を有する。
【００９０】
図６Ａ及び図６Ｂで、端部（４６１ａ、４６１ｂ）、複数の縦部（４６２ａ、４６２ｂ）及び複数の横部（４６３ａ、４６３ｂ）は既に図４Ａないし図５Ｄを参照にして説明した端部（４４１ａ−４４１ｄ、４５１ａ−４５ｄ）、複数の縦部（４４２ａ−４４２ｄ）及び複数の横部（４５３ａ−４５３ｄ）と同一であるので、詳しい説明は省略する。
【００９１】
また、図６Ａ及び図６Ｂに示したこととは異なり、端部（４６１ａ、４６１ｂ）の少なくとも一部は隣接した太陽電池の行や太陽電池の列の角領域まで延長されて角領域と重畳されることができるし、複数の縦部（４６２ａ、４６２ｂ）と複数の横部（４６３ａ、４６３ｂ）の中の一つが隣接した太陽電池熱か隣接した太陽電池の行の角領域まで延長されることができる。
【００９２】
また他の例で、本実施の形態に係って透明部材４０の内部面に位置する反射防止部４１は各太陽電池１内に存在する非発電領域に対応するように位置する。
【００９３】
このような例を図７Ａ及び図７Ｂを参照にして説明する。
【００９４】
図６Ａと比べる時、図７Ａ及び図７Ｂに示した透明部材４０の内部面に位置する反射防止部４１はそれぞれ端部（４７１ａ、４７１ｂ）、複数の縦部（４７２ａ、４７２ｂ）及び複数の横部（４７３ａ、４７３ｂ）だけでなく各太陽電池１に位置した複数の集電部１４２の形成位置に重畳するように位置した複数の補助パターン部（４７４ａ、４７４ｂ）をさらに備える。
【００９５】
端部（４７１ａ、４７１ｂ）、複数の縦部（４７２ａ、４７２ｂ）及び複数の横部（４７３ａ、４７３ｂ）は図６Ａ及び図６Ｂを参照にして説明した端部（４６１ａ、４６１ｂ）、複数の縦部（４６２ａ、４６２ｂ）及び複数の横部（４６３ａ、４６３ｂ）と同一であるのでこれに対する詳しい説明は省略する。
【００９６】
図７Ａで、複数の補助パターン部４７４ａは各太陽電池１に存在する複数の前面電極用集電部１４２が位置している部分と実質的に対応して重畳されているので、複数の補助パターン部（４７４ａ、４７４ｂ）は端部（４７１ａ、４７１ｂ）と分離している。
【００９７】
反対に、図７Ｂで、反射防止部４１の複数の補助パターン部４７４ｂは複数の集電部１４２が位置した部分にしたがって端部分４７１ｂまで接続されている。これにより、図７Ｂの複数の補助パターン部４７４ｂは端部４７１ｂと接続されて一体に形成されている。
【００９８】
この時、複数の補助パターン部（４７４ａ、４７４ｂ）の幅は各太陽電池１に位置する集電部１４２の幅より同じか大きいことが良い。
【００９９】
既に説明したように、代案的な例で、反射防止部４１の端部分（４７１ａ、４７１ｂ）の少なくとも一部は隣接した太陽電池の行や太陽電池の列の角領域と対応する部分まで延長されることができ、複数の縦部（４７２ａ、４７２ｂ）と複数の横部（４７３ａ、４７３ｂ）の中少なくとも一つは隣接した太陽電池の列や太陽電池の列の角領域と対応する部分まで延長されることができる。
【０１００】
図３Ａないし図１０に示した透明部材４０の一部（ｄ３）はフレーム６０で積もられている。したがって既に説明したように、反射防止部４１はフレーム６０で包れた透明部材４０の部分（ｄ３）には位置しない。
【０１０１】
しかし、これとは異なり、図３Ａないし図７Ｂに示した例で、反射防止部４１は透明部材４０の内部面端まで、すなわち内部面全体に位置することができる。
【０１０２】
この場合、太陽電池モジュール１０がフレーム６０を備えない場合フレーム６０との固定のための部分が必要ない。したがって透明部材４０の内部面全体に反射防止部４１を位置させ非発電領域に入射される光を発電領域に再入射させることができるようにする。
【０１０３】
また、図４Ａないし図４Ｄとは異なり、図８に示したように、他の例で反射防止部４１は端部の一部、すなわち、左/右側端部４８１と複数の縦部４８２だけ備える。
【０１０４】
また、図５Ａないし図５Ｄとは異なり、図９に示したように、他の例で反射防止部４１は端部一部である上/下側端部４９１と複数の横部４９３だけ備える
【０１０５】
同様に、図６Ａないし図６Ｂとは異なり、図１０に示したように、また他の例で反射防止部４１は端部を備えないで、複数の縦部４１０２と複数の横部４１０３だけ備える。
【０１０６】
図８ないし図１０で、複数の縦部（４８２、４１０２) または/及び複数の横部（４９３、４１０３）は内部面の端まで縦方向に伸びているが、これとは異なり図３Ａないし図７Ｂに示したように透明部材４０がフレーム６０との重畳部分前まで縦方向に伸びることができ、端部（４８１、１９１）も透明部材４０がフレーム６０との重畳部分前まで縦方向に伸びることができる。
【０１０７】
また、図８ないし図１０で、複数の縦部（４８２、４１０２）または/及び複数の横部（４９３、４１０３）は隣接した二つの太陽電池の列または/及び隣接した二つの太陽電池の行の間にだけ重畳されるが、既に説明したように、隣接した太陽電池の列及び/または隣接した二つの太陽電池の行の角領域まで重畳されることができ、端部（４８１、１９１）も隣接した太陽電池の列または隣接した太陽電池の行の角領域まで重畳されることができる。
【０１０８】
同一に、図６Ａないし図６Ｂとは異なり、反射防止部４１は複数の補助パターン部（４７４ａ、４７４ｂ）だけ備えるかまたは複数の補助パターン部（４７４ａ、４７４ｂ）と端部（４７１ａ、４７１ｂ）、複数の縦部（４７２ａ、４７２ｂ、４８２、４１０２）及び複数の横部（４７３ａ、４７３ｂ、４９３、４１０３）中少なくとも一つを備えることができる。
【０１０９】
このように、太陽電池モジュール１０の非発電領域に対応されるように透明部材４０の内部面に反射防止部４１を位置させ非発電領域に入射される光を発電領域に再入射させる場合、太陽電池モジュール１０の発電効率は約４％乃至５％上昇した。
【０１１０】
また、本発明の実施の形態によれば、透明部材４０の内部面全体に反射防止部４１を位置させる代わりに非発電領域の少なくとも一部に対応する位置に反射防止部４１を形成するので、製造費用が減る。すなわち、従来には非発電領域だけではなく非発電領域にも対応されるように反射防止部が位置するので、反射防止部を形成するための材料がたくさん必要となった。しかし本実施の形態の場合、非発電領域の少なくとも一部と対応されるように反射防止部４１が位置するので、反射防止部４１を形成するための材料消費が減少する。
【０１１１】
また、一般的に反射防止部４１の表面は平坦面ではない凹凸面を有する。したがって反射防止部４１の形成位置が増加するほど反射防止部４１の均一性が悪くなって光の反射防止効率の減少する問題が発生する。しかし、本実施の形態は透明部材４０の内部面全体に反射防止部４１を形成する代わりに一部にだけ反射防止部４１を形成するので、表面の均一度が増加しこれにより、反射防止効率が向上する。
【０１１２】
さらに、ラミネイティング工程時反射防止部４１と保護膜（２０ａ、２０ｂ）が一体になる時、反射防止部４１と接触する保護膜（２０ａ、２０ｂ）部分で気泡が発生して光の入射に悪影響を及ぼした。しかし、本実施の形態に係れば反射防止部４１の形成位置が減少するによって気泡の発生頻度数が減少する。
【０１１３】
本実施の形態で、透明部材４０の内部面一部に存在する反射防止部４１はローラー(roller)を利用して所望する物質を塗布することで形成されることができる。
【０１１４】
この時、反射防止部４１のパターン形状と厚さなどにしたがってローラーの進行方向や往復回数などが決まる。またローラーの幅が相異なっている多様なローラーを同時に動作させ互いに異なる幅を有する複数の部分からなる反射防止部のパターンを速かに形成することができる。
【０１１５】
以上で本発明の実施の形態に対して詳細に説明したが本発明の権利範囲はここに限定されるのではなく次の請求範囲で定義している本発明の基本概念を利用した当業者の多くの変形及び改良形態も本発明の権利範囲に属する。
【図１】
0005571523.tif 000002
【図２】
0005571523.tif 000003
【図３Ａ】
0005571523.tif 000004
【図３Ｂ】
0005571523.tif 000005
【図３Ｃ】
0005571523.tif 000006
【図３Ｄ】
0005571523.tif 000007
【図３Ｅ】
0005571523.tif 000008
【図３Ｆ】
0005571523.tif 000009
【図３Ｇ】
0005571523.tif 000010
【図４Ａ】
0005571523.tif 000011
【図４Ｂ】
0005571523.tif 000012
【図４Ｃ】
0005571523.tif 000013
【図４Ｄ】
0005571523.tif 000014
【図５Ａ】
0005571523.tif 000015
【図５Ｂ】
0005571523.tif 000016
【図５Ｃ】
0005571523.tif 000017
【図５Ｄ】
0005571523.tif 000018
【図６Ａ】
0005571523.tif 000019
【図６Ｂ】
0005571523.tif 000020
【図７Ａ】
0005571523.tif 000021
【図７Ｂ】
0005571523.tif 000022
【図８】
0005571523.tif 000023
【図９】
0005571523.tif 000024
【図１０】
0005571523.tif 000025